(57)【要約】【課題】組み立て性及び信頼性が向上したバックライトアセンブリを提供する。【解決手段】バックライトアセンブリは、端部を有する蛍光管及び端部に複数個のランプリードが形成された蛍光ランプと、端部を囲み、ランプリードを固定するエンドキャップと、ランプリードに電源を供給する電源供給端子と、を備え、エンドキャップはランプリードの少なくとも一部を露出させる。【選択図】図１
2011142088.tif 000002
【特許請求の範囲】
【請求項１】
端部を有する蛍光管及び該端部に複数個のランプリードが形成された蛍光ランプと、
前記端部を囲み、前記ランプリードを固定するエンドキャップと、
前記ランプリードに電源を供給する電源供給端子と、を備え、
前記エンドキャップは前記ランプリードの少なくとも一部を露出させることを特徴とするバックライトアセンブリ。
【請求項２】
前記ランプリードは、第１電源が印加される第１ランプリード、及び該第１ランプリードと離隔配置されて第２電源が印加される第２ランプリードを含むことを特徴とする請求項１に記載のバックライトアセンブリ。
【請求項３】
前記第１ランプリードは前記蛍光管の内部に配置された熱電子放出部の第１端部と電気的に接続され、前記第２ランプリードは前記熱電子放出部の第２端部と電気的に接続されることを特徴とする請求項２に記載のバックライトアセンブリ。
【請求項４】
前記電源供給用端子は、第１ランプリードと接触する第１電源供給用端子、及び該第１電源供給用端子と離隔配置される第２電源供給用端子を含むことを特徴とする請求項２に記載のバックライトアセンブリ。
【請求項５】
前記電源供給用端子は、前記エンドキャップと結合して前記エンドキャップの流動を防止する結合部を含むことを特徴とする請求項４に記載のバックライトアセンブリ。
【請求項６】
前記エンドキャップは、前記ランプリードの一部を露出させるリード露出部を含み、前記リード露出部を通じて露出した前記ランプリードの一部分と前記電源供給用端子が接触することを特徴とする請求項１に記載のバックライトアセンブリ。
【請求項７】
前記エンドキャップは、絶縁物質からなることを特徴とする請求項１に記載のバックライトアセンブリ。
【請求項８】
前記エンドキャップは、前記蛍光管の端部を取り囲むランプ端部受容部、及び前記ランプリードを受容するリード受容部を含むことを特徴とする請求項１に記載のバックライトアセンブリ。
【請求項９】
前記ランプ端部受容部及び前記リード受容部は、一体で形成されることを特徴とする請求項８に記載のバックライトアセンブリ。
【請求項１０】
前記ランプ端部受容部の内径は前記蛍光管の直径と実質的に同一であり、前記リード受容部の直径は前記ランプ端部受容部の内径より小さいことを特徴とする請求項８に記載のバックライトアセンブリ。
【発明の詳細な説明】
【技術分野】
【０００１】
本発明は、蛍光ランプを有するバックライトアセンブリに関するものである。
【背景技術】
【０００２】
液晶表示装置は、液晶の電気的、光学的特性を利用して映像を表示する。平板表示装置は、薄い厚さ、軽い重さ、小さいサイズなどの多様な特徴があるために様々な分野で広く使用されている。
【０００３】
液晶表示装置の液晶は、自ら光を発生させることができない非発光性素子であるため、液晶表示装置に光を提供するバックライトアセンブリが要求される。
【０００４】
バックライトアセンブリは、光源として熱陰極蛍光ランプ（Ｈｅａｔ  Ｃａｔｈｏｄｅ  Ｆｌｕｏｒｅｓｃｅｎｔ  Ｌａｍｐ：以下ＨＣＦＬという）、冷陰極蛍光ランプ（Ｃｏｌｄ  Ｃａｔｈｏｄｅ  Ｆｌｕｏｒｅｓｃｅｎｔ  Ｌａｍｐ：以下ＣＣＦＬという）、発光ダイオード（Ｌｉｇｈｔ  Ｅｍｉｔｔｉｎｇ  Ｄｉｏｄｅ：以下ＬＥＤという）などを含む。
【０００５】
点光源であるＬＥＤとは異なり、ＣＣＦＬ及びＨＣＦＬは線形光源であり、表示装置用光源として広く適用されている。ＣＣＦＬは、電界によって発生した電子がガラス管内部のガス（例えば、水銀）を励起させ、水銀が励起されることにより紫外線が発生し、紫外線はガラス管に塗布された蛍光物質を刺激して光を発散する。ＣＣＦＬは熱の発生が少なく寿命が長い。反面、ＨＣＦＬは電界によって電子が発生せず、熱によって発生する。このようなＨＣＦＬは同一消費電力を基準にしてＣＣＦＬ対比最大３０％まで輝度を向上させることができるため、ＣＣＦＬを代替する光源として注目されている。
【先行技術文献】
【特許文献】
【０００６】
【特許文献１】大韓民国登録特許０７６５４２９号
【発明の概要】
【発明が解決しようとする課題】
【０００７】
しかし、ＨＣＦＬを収納容器に実装しようとする場合、ＨＣＦＬはランプリードが１個であるＣＣＦＬと異なり、片側に２個のランプリードを有する構造上の差異点があるため、従来のＣＣＦＬ組立て用ソケットを使用して実装することができず、バックライトアセンブリの組み立て工程がより複雑なだけではなく、自動化が難しく組立て時間が増加する。
【０００８】
本発明は、上記従来の問題点に鑑みてなされたものあって、本発明の目的は、ＨＣＦＬの組立て性が向上して自動化が可能なバックライトアセンブリを提供することにある。
【課題を解決するための手段】
【０００９】
上記目的を達成するためになされた本発明の一特徴によるバックライトアセンブリは、端部を有する蛍光管及び該端部に複数個のランプリードが形成された蛍光ランプと、前記端部を囲み、前記ランプリードを固定するエンドキャップと、前記ランプリードに電源を供給する電源供給端子と、を備え、前記エンドキャップは前記ランプリードの少なくとも一部を露出させる。
【００１０】
前記ランプリードは、第１電源が印加される第１ランプリード、及び該第１ランプリードと離隔配置されて第２電源が印加される第２ランプリードを含む。
前記第１ランプリードは前記蛍光管の内部に配置された熱電子放出部の第１端部と電気的に接続され、前記第２ランプリードは前記熱電子放出部の第２端部と電気的に接続される。
前記電源供給用端子は、第１ランプリードと接触する第１電源供給用端子、及び該第１電源供給用端子と離隔配置される第２電源供給用端子を含む。
前記電源供給用端子は、前記エンドキャップと結合して前記エンドキャップの流動を防止する結合部を含む。
前記エンドキャップは、前記ランプリードの一部を露出させるリード露出部を含み、前記リード露出部を通じて露出した前記ランプリードの一部分と前記電源供給用端子が接触する。
前記エンドキャップは、絶縁物質からなり、前記蛍光管の端部を取り囲むランプ端部受容部、及び前記ランプリードを受容するリード受容部を含む。
前記ランプ端部受容部及び前記リード受容部は、一体で形成される。
前記ランプ端部受容部の内径は前記蛍光管の直径と実質的に同一であり、前記リード受容部の直径は前記ランプ端部受容部の内径より小さい。
【発明の効果】
【００１１】
本発明のバックライトアセンブリによれば、蛍光ランプを簡便で且つ安定的に固定でき、バックライトアセンブリの組立て性が向上し、組立て過程中に発生し得るランプの損傷を防止することができる。更に、バックライトアセンブリの組み立て工程が単純になり、組み立て工程の自動化が可能になることで製造費用を減少させることができる。
【図面の簡単な説明】
【００１２】
【図１】本発明の一実施形態によるバックライトアセンブリで使用される蛍光ランプを示す断面図である。
【図２】本発明の一実施形態によるバックライトアセンブリで使用されるエンドキャップを説明するための斜視図である。
【図３】図２に示す蛍光ランプとエンドキャップの結合状態を示す斜視図である。
【図４】本発明の一実施形態による電源供給用端子と蛍光ランプの結合関係を示す斜視図である。
【図５】本発明の一実施形態によるバックライトアセンブリで使用されるランプソケットを示す図面である。
【図６】ランプソケットと蛍光ランプの結合関係を示す斜視図である。
【図７】ランプソケットと電源供給基板の結合関係を示す斜視図である。
【図８】ランプソケットをハウジングの上部開口部側からみた図面である。
【図９】複数個の蛍光ランプが装着された図面である。
【図１０】本発明の一実施形態による表示装置を説明するための例示図である。
【発明を実施するための形態】
【００１３】
本発明の利点、特徴、及びそれらを達成する方法は、図面と共に詳細に後述する実施形態により明確になるであろう。しかし、本発明は、以下で開示する実施形態に限定されるものではなく、異なる多様な形態で具現されるものであり、本発明の実施形態は、単に本発明の開示を完全にし、本発明が属する技術分野で通常の知識を有する者に発明の範疇を完全に知らしめるために提供するものである。図面において層及び領域のサイズ及び相対的なサイズは説明の明瞭性のために誇張する。
【００１４】
素子（ｅｌｅｍｅｎｔｓ）又は層が、異なる素子又は層の「上（ｏｎ）」と指称する場合は、他の素子又は層の真上だけでなく中間に他の層又は他の素子が介在する場合を全て含む。反面、素子が「直接上（ｄｉｒｅｃｔｌｙ  ｏｎ）」又は「真上」と指称する場合は、中間に他の素子又は層が介在しないことを示す。「及び／又は」は言及するアイテムの各々及び一つ以上の全ての組み合わせを含む。
【００１５】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示すように一つの素子又は構成要素と異なる素子又は構成要素との相関関係を容易に記述するために使用する。空間的に相対的な用語は、図面に示す方向に加えて、使用時又は動作時の素子の異なる方向を含む用語として理解しなければならない。明細書全体にかけて、同一参照符号は同一構成要素を指称する。
【００１６】
本明細書で記述する実施形態は、本発明の理想的な概略図である平面図及び断面図を参照して説明する。従って、製造技術及び／又は許容誤差などによって例示図の形態を変形してもよい。従って、本発明の実施形態は図示した特定形態に制限するものではなく、製造工程に応じて生成される形態の変化も含むものである。従って、図面で例示した領域は概略的な属性を有し、図面で例示した領域の模様は素子の領域の特定形態を例示するためのものであって、発明の範疇を制限するためのものではない。
【００１７】
以下、本発明の蛍光ランプを有するバックライトアセンブリを実施するための形態の具体例を、図面を参照しながら詳細に説明する。
【００１８】
＜バックライトアセンブリ＞
【００１９】
図１は、本発明の一実施形態によるバックライトアセンブリで使用される蛍光ランプを示す断面図である。
【００２０】
図１を参照すると、蛍光ランプは、蛍光管１１０、熱電子放出部１３０、一対の第１及び第２ランプリード１２１、１２２を含む。即ち、蛍光ランプは、蛍光管１１０の両端部に各々配置される２個の熱電子放出部１３０、２個の第１ランプリード１２１及び２個の第２ランプリード１２２を含む。
【００２１】
蛍光管１１０は、放電管１１２、及び放電管１１２内に形成された蛍光層１１４を含む。
【００２２】
熱電子放出部１３０は蛍光管１１０の各端部に配置される。本実施形態において、熱電子放出部１３０は、フィラメント１３１、第１配線１３３及び第２配線１３５を含む。例えば、フィラメント１３１は、バリウム、ストロンチウムなどでコーティングされて電子を容易に放出する。ここで、熱電子放出部１３０として、フィラメント１３１の代わりに板型電極、ネットシェイプ（Ｎｅｔ  Ｓｈａｐｅ）電極などを用いてもよい。
【００２３】
第１配線１３３及び第２配線１３５はフィラメント１３１の両端部に各々接続される。ここで、第１配線１３３及び第２配線１３５の端部が蛍光管１１０の側面１１０ａから突出してもよい。
【００２４】
動作を説明すると次の通りである。フィラメント１３１が加熱されると電子が発生する。発生した電子が蛍光管１１０内部のガス（例えば、水銀）を励起させ、水銀が励起されることにより紫外線が発生し、紫外線は蛍光管１１０に塗布された蛍光層１１４を刺激してこれにより光が発散する。
【００２５】
第１ランプリード１２１は、蛍光管１１０の端部上に配置され、熱電子放出部１３０の第１配線１３３に電気的に接続される。
【００２６】
第２ランプリード１２２は、第１ランプリード１２１と離隔されて蛍光管１１０の端部上に配置され、熱電子放出部１３０の第２配線１３５に電気的に接続される。
【００２７】
本実施形態で、第１ランプリード１２１及び第２ランプリード１２２は互いに平行となるように形成された棒形状（円筒形状）を有する。
【００２８】
図２は、本発明の一実施形態によるバックライトアセンブリで使用されるエンドキャップを説明するための斜視図であり、図３は、図２に示す蛍光ランプとエンドキャップの結合状態を示す斜視図である。
【００２９】
図２及び図３を参照すると、本実施形態によるエンドキャップ２００は、ランプ端部受容部２１０、リード受容部２２０、リード露出部２３０、及び開口部２４０を含む。
【００３０】
ランプ端部受容部２１０は、蛍光ランプ１００の蛍光管１１０を取り囲むように中が空の円筒形状で形成され、ランプ端部受容部２１０の内径は蛍光管１１０の直径と実質的に同一に形成され、ランプ端部受容部２１０の内部に蛍光管１１０の端部が開口部２４０を通じて収納される構造である。
【００３１】
リード受容部２２０は、絶縁物質で形成され、ランプリード１２０を取り囲むように形成される。リード受容部２２０は、絶縁物質で形成されることによって第１ランプリード１２１と第２ランプリード１２２を絶縁させるだけでなく、物理的な衝撃によるランプリード１２０の損傷或いは外部電磁波による熱電子放出部の損傷を防止する。また、リード受容部２２０は、ランプリード１２０をその内部に収納して外部と遮断することによって蛍光ランプ組立て過程中の物理的な力によるランプリード１２０の損傷或いは変形を防ぐことができる。
【００３２】
リード受容部２２０はランプ端部受容部２１０から延長されて一体で形成されてもよい。
【００３３】
リード露出部２３０は、リード受容部２２０の一部の両側に開口を形成し、蛍光ランプ１００がエンドキャップ２００と結合したとき、ランプリード１２０の一部を露出させる。リード露出部２３０はリード受容部２２０の一部を除去して形成してもよい。
【００３４】
図３のエンドキャップ２００と蛍光ランプ１００が結合された状態を参照すると、ランプ端部受容部２１０の内側面と蛍光管１１０の外側面は互いに面接触し、ランプ端部受容部２１０と蛍光管１１０が一部オーバーラップすることによって、蛍光管１１０の端部が外部の衝撃によって破損するのを防止することができる。
【００３５】
蛍光ランプ１００はランプ端部受容部２１０を通じてガイドされ、蛍光ランプ１００の第１及び第２ランプリード１２１、１２２はリード受容部２２０の溝２２２、２２４により受容される。溝２２２、２２４は各々リード受容部２２０の両側に形成される。
【００３６】
一方、ランプ端部受容部２１０の内径は蛍光管１１０の直径と実質的に同一に形成される。リード受容部２２０の直径はランプ端部受容部２１０の内径より小さくてもよい。このように構成することによって、蛍光管１１０はランプ端部受容部２１０によって固定され、第１及び第２ランプリード１２１、１２２は溝２２２、２２４を通じて受容され、蛍光管１１０の流動を抑制することができる。
【００３７】
ここで、図３を参照すると、リード露出部２３０によりランプリード１２０の一部が露出することが分かる。リード露出部２３０の幅Ｗ１は電源供給用端子３００の幅Ｗ２（図４のＷ２参照）と同一又は大きく形成される。これについては後述する。
【００３８】
図４は、本発明の一実施形態による電源供給用端子３００と蛍光ランプ１００の結合関係を示す斜視図である。図４は、説明の便宜のため、ハウジング内部に配置されている第１及び第２電源供給用端子３０１、３０２のみを示しており、ハウジング（図示せず）が電源供給端子を受容することにより、ランプソケットが完成する。以下、図４を参照して電源供給用端子３００の構成を観察する。
【００３９】
電源供給用端子３００は、電源供給基板５００に接触して電源供給基板から第１電源の印加を受ける第１電源供給用端子３０１、及び第１電源供給用端子３０１と離隔配置され第１電源供給用端子と電気的にオープンされて第２電源の印加を受ける第２電源供給用端子３０２を含む。
【００４０】
電源供給基板５００を通じて第１電源が第１電源供給用端子３０１に印加され、第２電源が第２電源供給用端子３０２に印加される。ここで第１電源と第２電源は互いに異なり、例えば、電圧の極性が反対になる。即ち、第１電源供給用端子３０１には「＋」電圧が印加されて第２電源供給用端子３０２には「−」電圧が印加されてもよく、その逆にすることもできる。
【００４１】
第１電源供給用端子及び第２電源供給用端子３０１、３０２は、各々端子部３１０、結合部３２０、及び受容部３３０を含む。即ち、図５に示すように、第１電源供給用端子３０１は、第１端子部３１１、第１結合部３２１、及び第１受容部３３１を含み、第２電源供給用端子３０２は、第２端子部３１２、第２結合部３２２、及び第２受容部３３２を含み、第１電源供給用端子３０１と第２電源供給用端子３０２は一対を成し、互いに対称形状を有する。
【００４２】
また、第１電源供給用端子３０１及び第２電源供給用端子３０２は導電性であり、金属材質であってもよい。
【００４３】
端子部３１０は、電源供給基板５００に形成された電源出力端子と電気的に接続され、蛍光ランプ１００に印加される電圧の供給を受け、供給された電圧は端子部３１０に連結された結合部３２０に伝達される。
【００４４】
結合部３２０は、端子部３１０と連結され、ランプの外観形状と類似の例えば半円形で湾曲して形成されてもよい。例えば、第１結合部３２１と第２結合部３２２は全体として略円形の形状を有し、エンドキャップ２００が第１電源供給用端子３０１及び第２電源供給用端子３０２の間に挟まれた場合、エンドキャップ２００のリード受容部２２０の外周を囲み、このとき、第１結合部３２１及び第２結合部３２２は弾性によってリード受容部２２０をホールディングする。例えば、第１結合部３２１及び第２結合部３２２は、第１結合部３２１及び第２結合部３２２の間にエンドキャップ２００を挿入すると、互いに遠ざかるように移動した後、エンドキャップ２００を囲むように戻ってきて、エンドキャップ２００に圧力を加えてリード受容部２２０を元の場所にホールディングする。このとき、結合部３２０は、図４に示すように、リード受容部２２０に形成されたリード露出部２３０を通じて露出するランプリード１２０（例えば、第１ランプリード１２１及び第２ランプリード１２２）と直接接触してランプリード１２０に電源を供給する。即ち、第１結合部３２１は第１ランプリード１２１に直接コンタクトして第１ランプリード１２１と電気的に接続され、第２結合部３２２は第２ランプリード１２２に直接コンタクトして第２ランプリード１２２と電気的に接続される。
【００４５】
従って、別途の付着工程であるはんだ付け（ｓｏｌｄｅｒｉｎｇ）工程なしに蛍光ランプ１００のランプリード１２０が電源供給用端子３００と結合工程により接続されるため、バックライトアセンブリの組み立て工程が単純化され、且つ組立て時間が短縮される。
【００４６】
図４を参照すると、受容部３３０は、まっすぐに延長された形状であり、結合部３２０に対して斜めに延長されてもよく、蛍光ランプ（図示せず）が結合部に締結されるための経路を提供する。即ち、結合部３２０の一端は端子部３１０と連結され、他端は受容部３３０と連結される。
【００４７】
また、第１受容部３３１と第２受容部３３２の間の距離は、各々第１結合部３２１と第２結合部３２２との接点位置から遠ざかるほど大きくなるようにすることができる。これによって、第１受容部３３１と第２受容部３３２の間の距離は、結合部３２０の位置から遠ざかるほど大きくなるため、蛍光ランプ１００が電源供給用端子３０１、３０２の受容部３３０を通過することが容易になり、ランプが結合部に締結された後にはランプの上下流動を抑制することによってランプが抜けることを防ぎ、ランプの上下流動を極力防ぐことができる。また、第１受容部３３１及び第２受容部３３２の断面が直線型を有する板状に形成されるため、ランプ組立て自動化機器によってランプを組み立てることが可能になり、ランプの組立てがより容易になる。
【００４８】
再び図４を参照すると、ここでは、結合部３２０の幅Ｗ２がリード露出部２３０の開口幅Ｗ１と同一のものを示すが、本発明はこれに制限されるものではなく、結合部３２０の幅Ｗ２はリード露出部２３０の開口幅Ｗ１に比べて小さく形成されてもよい。
【００４９】
以下、図５〜図９を参照してハウジングを説明する。
【００５０】
図５は、本発明の一実施形態によるバックライトアセンブリで使用されるランプソケット３５０を示す図である。図６は、ランプソケット３５０と蛍光ランプ１００の結合関係を示す斜視図である。図７は、ランプソケット３５０と電源供給基板５００の結合関係を示す斜視図である。図８は、ランプソケット３５０をハウジングの上部開口部側からみた図面である。
【００５１】
図５〜図８を参照すると、ハウジング４００はホルダー筐体４１０とインバータ結合部４２０を含んでもよい。或いはハウジング４００は、例えば、射出成形方式で製造されたモールド物であってもよい。ホルダー筐体４１０は、概ね上面が開放された六面体形状を有するが、この形状に限定されるものではない。ホルダー筐体４１０は、下面４１３、及び下面４１３を囲んだ第１側面〜第４側面４０１、４０２、４０３、４０４を含む。第１側面４０１及び第２側面４０２は互いに対向する。第３側面４０３及び第４側面４０４は互いに対向し、各々第１側面４０１及び第２側面４０２に連結される。
【００５２】
下面４１３には電源供給用端子３００の端子部３１０が貫通するように端子部３１０の形状に対応するように穴が形成されている。即ち、下面には第１電源供給用端子３０１の第１端子部３１１の位置に対応する第１穴と第２電源供給用端子３０２の第２端子部３１２の位置に対応する第２穴が形成される。
【００５３】
ホルダー筐体４１０の上部にはランプガイド溝４１１が形成され、より詳細には、ランプガイド溝４１１は、第１側面４０１の上部から所定の深さで形成され、蛍光ランプ１００の形状に対応してラウンドになるように形成され、蛍光管の端部を支持する。
【００５４】
下面４１３の下に配置されたインバータ結合部４２０にはインバータ挿入溝４２１が形成される。
【００５５】
インバータ挿入溝４２１は、第１側面４０１から第２側面４０２の方向に所定の深さで形成され、ここに電源供給基板５００に形成された結合突起５１０が挟まれる形態になって、両者が結合される。即ち、電源供給基板５００の一部の結合突起５１０がインバータ挿入溝４２１にスライディング方式で挿入されると、後述するように、電源供給基板に形成された電源出力端子が電源供給用端子３００の第１端子部３１１及び第２端子部３１２と電気的に接続される。このようにすることによって、バックライトアセンブリの組立てにおいて、ランプに駆動電圧を供給するため、複数個のランプホルダーとインバータに接続されたワイヤーをはんだ付け（ｓｏｌｄｅｒｉｎｇ）したり、複数個のランプホルダーの端子を印刷回路基板にはんだ付けしたりせずに、バックライトアセンブリを組み立てることができる。従って、本発明によれば、バックライトアセンブリの組立てが短縮され、はんだ付け工程によるランプの損傷が防止され、不良のインバータを交替する場合にも、ランプをランプホルダーから全て分離させた後、インバータを交替しなければならないという不便さが解消される。
【００５６】
一方、ハウジング４００の第１〜第３側面４０１〜４０４のそれぞれは、電源供給用端子３０１、３０２から各々離隔されて配置され、これを取り囲む形態で収納することにより、電源供給用端子３００を外部と電気的に絶縁させて電磁波を遮蔽し、電源供給用端子を保護する役割を果たす。
【００５７】
一方、本発明によるバックライトアセンブリは複数個の蛍光ランプ１００を更に含んでもよい。
【００５８】
図９は、これら複数個の蛍光ランプ１００が装着された図であり、それぞれの蛍光ランプは一定の間隔で離隔されて平行になるように配置される。ここで、蛍光ランプ１００は図１に示す蛍光ランプと同一であるため、同一の構成要素に対する重複する説明は省略する。
【００５９】
図９を参照すると、電源供給用基板５００はハウジング４００のインバータ挿入溝４２１と結合する結合突起５１０を含む。即ち、結合突起５１０はハウジングのインバータ挿入溝４２１にスライディング方式で挟まれて結合される。
【００６０】
電源供給基板５００は、印刷回路基板、及び印刷回路基板に実装された電源供給素子を含んでも良い。電源供給基板５００の一側端に沿って複数個の電源出力端子などが形成される。例えば、電源出力端子は印刷回路基板に形成された導電配線の一部が表面に露出して形成される。
【００６１】
本実施形態において、電源出力端子は、電源供給基板５００の上面５０１に形成され、端子部３１０と接触して電源を供給する。即ち、「＋」電源を印加する第１電源出力端子は第１電源供給用端子３０１の第１端子部３１１と接触して電気的に接続され、「−」電源を印加する第２電源出力端子は第２電源供給用端子３０２の第２端子部３１２と接触して電気的に接続される。これとは異なる実施形態において、電源出力端子は、電源供給基板５００の背面に形成されるか、又は電源供給基板５００の上面及び背面の両方に形成されてもよい。
【００６２】
＜表示装置＞
【００６３】
図１０は、本発明の一実施形態による表示装置を説明するための例示図である。
【００６４】
図１０を参照すると、本実施形態による表示装置１０００は、複数個の蛍光ランプ１００、電源供給基板５００、収納容器６００、第１サイドカバー７１０、第２サイドカバー７２０、光学部材８００、及び表示パネル（図示せず）を含む。
【００６５】
蛍光ランプ１００及び電源供給基板５００についてはバックライトアセンブリに対する実施形態で説明したものと同一であるため、重複する説明は省略する。
【００６６】
バックライトアセンブリは複数個のランプサポーター６０５を更に含んでもよい。ランプサポーター６０５は収納容器６００の底板６１０に固定される。ランプサポーター６０５は、蛍光ランプ１００を互いに並ぶように整列させ、蛍光ランプ１００が垂れることを防止する。収納容器６００は、底板６１０、及び底板の外周から突出して収納空間を形成する複数個の側壁６０１〜６０４を含む。収納容器６００は複数個の側壁６０１〜６０４と底板６１０により定義される収納空間にランプサポーター６０５と蛍光ランプ１００などを含むバックライトアセンブリを収納する。このとき、収納容器６００は底板上に配置されて蛍光ランプ１００から発生した光を反射する反射板（図示せず）を更に含んでもよい。
【００６７】
バックライトアセンブリは、第１サイドカバー７１０、第２サイドカバー７２０、及び光学部材８００を更に含んでもよい。
【００６８】
第１サイドカバー７１０は、第４側壁６０４に沿って配置されて蛍光ランプ１００の第１電極部１５１をカバーする。第１サイドカバー７１０は支持板７１２及び上板７１４を含む。支持板７１２は、第４側壁６０４と対向するように配置され、底板６１０に接触している。支持板７１２には蛍光ランプ１００との干渉を防止するガイド溝７１６が形成されている。上板７１４は底板６１０と対向するように支持板７１２から延長される。上板７１４には光学部材８００が配置される段差部７１８が形成されている。
【００６９】
第２サイドカバー７２０は、第３側壁６０３に沿って配置されて蛍光ランプ１００の第２電極部１５２をカバーする。第２サイドカバー７２０は支持板７２２及び上板７２４を含む。その他の構成は、第１サイドカバー７１０と重なるため、重複した説明は省略する。
【００７０】
光学部材８００は、蛍光ランプ１００から出射された光の光学特性、例えば、輝度均一性及び正面輝度を向上させて上部に出射する。光学部材８００は収納容器６００の側壁及び／又はサイドモールドによって支持される。光学部材８００は、拡散板、拡散シート、及び集光シートを含んでもよい。拡散板及び拡散シートは蛍光ランプ１００から出射された光を拡散させて輝度均一性がより向上した光を出射する。集光シートは、互いに異なる方向、例えば互いに垂直を成す方向に拡散板からの出射光を集光してバックライトアセンブリの正面輝度を向上させる。
【００７１】
上記のような本発明によれば、熱陰極蛍光ランプを採用するバックライトアセンブリの組立て性が向上する。更に、バックライトアセンブリの組み立て工程が単純になるため、組立て時間が短縮されて且つ自動化が可能になり、製造費用を減少させることができる。
【００７２】
また、エンドキャップによって熱陰極蛍光ランプのランプリードが電源供給用端子と安定的に結合されることによって電気的特性が向上して不良を防止することができる。
【００７３】
また、エンドキャップによって熱陰極蛍光ランプのランプリードが保護されて組み立て工程から発生し得るランプリードの損傷を防止することができる。
【００７４】
従って、このようなバックライトアセンブリを有する表示装置の組立て性及び信頼性が向上する。
【００７５】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００７６】
１００    蛍光ランプ
１１０    蛍光管
１１０ａ    蛍光管の側面
１１２    放電管
１１４    蛍光層
１２０    ランプリード
１２１    第１ランプリード
１２２    第２ランプリード
１３０    熱電子放出部
１３１    フィラメント
１３３    第１配線
１３５    第２配線
１５１    第１電極部
１５２    第２電極部
２００    エンドキャップ
２１０    ランプ端部受容部
２２０    リード受容部
２２２、２２４    リード受容部の溝
２３０    リード露出部
２４０    開口部
３００    電源供給用端子
３０１    第１電源供給用端子
３０２    第２電源供給用端子
３１０    端子部
３１１    第１端子部
３１２    第２端子部
３２０    結合部
３２１    第１結合部
３２２    第２結合部
３３０    受容部
３３１    第１受容部
３３２    第２受容部
３５０    ランプソケット
４００    ハウジング
４０１、４０２、４０３、４０４    第１〜第４側面
４１０    ホルダー筐体
４１１    ランプガイド溝
４１３    下面
４２０    インバータ結合部
４２１    インバータ挿入溝
５００    電源供給基板
５０１    電源供給基板の上面
５１０    結合突起
６００    収納容器
６０１、６０２、６０３、６０４    側壁
６０５    ランプサポーター
６１０    底板
７１０    第１サイドカバー
７１２、７２２    支持板
７１４、７２４    上板
７１６    ガイド溝
７１８    段差部
７２０    第２サイドカバー
８００    光学部材
１０００    表示装置
【図１】
2011142088.tif 000003
【図２】
2011142088.tif 000004
【図３】
2011142088.tif 000005
【図４】
2011142088.tif 000006
【図５】
2011142088.tif 000007
【図６】
2011142088.tif 000008
【図７】
2011142088.tif 000009
【図８】
2011142088.tif 000010
【図９】
2011142088.tif 000011
【図１０】
2011142088.tif 000012